(57)【要約】      （修正有）【課題】実用性が大幅に向上し、水素水の製造過多、水素水が止められない、もしくは水素水の水素含有量過多等の問題を防止し、更に水素水の品質がより向上する水素水サーバーを提供する。【解決手段】水素水サーバーＡは、主にＲＯウォーターサーバー及び水素水機を結合する。また、圧力モニタリングユニット８、０によってモニタリングすることで、該水素水サーバーＡの給水状態をセンサーし、電解ユニット４及び混合ユニット３を制御して水素水製造を開始する。また、水素水サーバーＡは更に混合ユニット３及び分子膜６によって、一回目の混合及び二回目の混合を行い、特に二回目の混合では水素及び水体を更に細かい分子にして、両者が更に混合される。【選択図】図２
0003207289.tif 000002
【実用新案登録請求の範囲】
【請求項１】
水素水サーバーにおいて、
水体を入れる入水口と、
該入水口と相互に通じるＲＯ飲用水ユニットと、
第一管体で該ＲＯ飲用水ユニットを連通し、該第一管体内の水素と該水体を混合して水素水にする混合ユニットと、
第二管体で該混合ユニットを連通し、該水素水を出水する出水ユニットと、
該第二管体一段部に設置して該水素水を通過する分子膜と、
該第一管体及び該第二管体をそれぞれ連通し、該第二管体に部分水素水を電解通過させて水素を作り、且つ該水素を該第一管体内へ送る電解ユニット組と、
該電解ユニット組及び該混合ユニットにそれぞれ電気連接し、該第二管体の圧力を検出し、該圧力が第一圧力予定値より低い時、該電解ユニット組及び該混合ユニットをそれぞれ制御して始動させ、該圧力が第二圧力予定値より高い時には、該電解ユニット組及び該混合ユニットを制御して停止させ、且つ該第二圧力予定値は該第一圧力予定値より高い第一圧力モニタリングユニットを含むことを特徴とする水素水サーバー。
【請求項２】
前記ＲＯ飲用水ユニットは、該入水口と相互に通じるろ過ユニット及び該ろ過ユニットと相互に通じるＲＯ膜を含み、該ＲＯ膜と該ろ過ユニットは相互に通じるルート一段部にモータを設置することを特徴とする請求項１記載の水素水サーバー。
【請求項３】
前記ろ過ユニットは、更に該入水口に連通するＰＰフィルター及び該ＰＰフィルターと該ＲＯ膜にそれぞれ連通する活性炭素フィルターを含むことを特徴とする請求項２記載の水素水サーバー。
【請求項４】
前記水素水サーバーは、更に廃水排出口を設置し、該廃水排出口は該ＲＯ膜を連通し、該ＲＯ膜をろ過した後の廃水を排出し、且つ該廃水排出口と該ＲＯ膜の連通ルート一段部には排水バルブ体を設置することを特徴とする請求項３記載の水素水サーバー。
【請求項５】
前記電解ユニット組は、該第一管体と相互に通じる電解ユニット，それぞれ該電解ユニット及び該第二管体と相互に通じる貯水ユニットを含み、且つ該貯水ユニットは該第二管体と相互に通じるルート一段部に第一バルブ体を設置することを特徴とする請求項４記載の水素水サーバー。
【請求項６】
前記貯水ユニットは、該廃水排出口を連通し、且つ該貯水ユニットと該廃水排出口連通ルートの一段部には第二バルブ体を設置することを特徴とする請求項５記載の水素水サーバー。
【請求項７】
前記水素は、該水素水全体の２wt%を占めることを特徴とする請求項１から６のうちの任意の一項記載の水素水サーバー。
【請求項８】
前記ろ過ユニットと該モータの連通ルート一段部は、第三バルブ体を設置し、更に第二圧力モニタリングユニットを設置し、該第二圧力モニタリングユニットは該モータ、該混合ユニット、該電解ユニット及び該第三バルブ体にそれぞれ電気連接し、該第二圧力モニタリングユニットは該ＲＯ飲用水ユニットと該入水口の間の管路圧力を測定するのに用い、該管路圧力が第三圧力予定値より高い時、該第三バルブ体を制御してオープン状態にすると、同時に該混合ユニット、該電解ユニット及び該モータを制御して待受状態にするもので、反対の場合は該第三バルブ体を制御してクローズ状態にすると、同時に該混合ユニット、該電解ユニット及び該モータを制御してオフ状態にすることを特徴とする請求項６記載の水素水サーバー。
【請求項９】
前記ＲＯ飲用水ユニットは、該混合ユニットのルート一段部に連通し、該電解ユニット組は該第一管体及び該第二管体の一段部、該第一管体内もしくは該第二管体内にそれぞれ連通し、少なくともそのうちの一もしくは二以上に限流ユニットを設置することを特徴とする請求項１から６記載の水素水サーバー。
【考案の詳細な説明】
【技術分野】
【０００１】
本考案は、飲用水関連機器に関するもので、特に一種の水素水サーバーに係る。
【背景技術】
【０００２】
フリーラジカルは、化合物分子が光、熱等の状況下で、対でない電子を備えた原子を指し、自由基は高活性、抗酸化性であるため、その他分子と反応しやすいという特性を備える。人体にとっては、フリーラジカルは組織、細胞を破壊しやいため、慢性疾病や老化現象を起こす。そのため、一般的に人の体にフリーラジカルが多くなると、退化性の疾病や癌などになりやすくなる。特に食生活が乱れたり、睡眠習慣が悪かったり、ストレスが高い環境にいる人は更に体内代謝がバランスを失い、更に多くのフリーラジカルが発生する。
【０００３】
研究に依ると、体内では自身で水素を発生させて体内のフリーラジカルを中和し、細胞が傷つくのを保護したり、正常な新陳代謝を維持している。しかしながら、人体で発生する水素速度は、フリーラジカル発生の速度に追いつかず、その他方式で水素を補充することによって、体内のフリーラジカルのバランスを維持しなければならない。現在、水素を補充する方法は、一番目にに水素を吸入する、二番目に水素を豊富に含む水素水を飲用する等がある。
【０００４】
これらから、水素水を発生させる水素水発生機を設計している。該水素水発生機は、水素水を発生させることができる。
【先行技術文献】
【特許文献】
【０００５】
【特許文献１】特開2010-188331号公報
【考案の概要】
【考案が解決しようとする課題】
【０００６】
この種の水素水発生機は消費者が購入後、自宅のＲＯウォーターサーバーに設置して使用することができる。しかしながら、ＲＯウォーターサーバーは誰もが家に設置しているわけではないので、この種の水素水発生機の実用性は非常に低く、且つ各家庭の使用に広がらないことが挙げられる。当実用新案考案者は、水素水機の構造によって上述の問題を改善し、一般家庭に普及させることができると考える。
【課題を解決するための手段】
【０００７】
本考案は、主にＲＯウォーターサーバー及び水素水機を結合する。また本考案は、圧力モニタリングユニットによってモニタリングすることで、該水素水サーバー箇所で給水状態をセンサーし、電解ユニット及び一混合ユニットを制御して水素水製造を開始する。また、本考案の水素水サーバーは更に混合ユニット及び分子膜によって、一回目の混合及び二回目の混合を行い、特に二回目の混合では水素及び水体を更に細かい分子にして、二者が更に混合されることを最も主要な特徴とする。
【考案の効果】
【０００８】
本考案の水素水サーバーは、水素水サーバーを購入するだけで即座に家庭で使用でき、その他製品を別途購入する必要はなく、実用性が大幅に向上する。また、水素水の製造過多、水素水が止められない、もしくは水素水の水素含有量過多等問題を防止する。更に水素水の品質がより向上するという利点がある。
【図面の簡単な説明】
【０００９】
【図１】本考案の外観図である。
【図２】本考案の各部品連結指示図である。
【考案を実施するための形態】
【００１０】
先前技術の欠点を考慮し、本考案では、改善の手段を提供する。該手段は一種の水素水サーバーに係る。そのうち、以下を含む。
【００１１】
入水口は、水体を入れるのに用いる。
【００１２】
ＲＯ飲用水ユニットは、該入水口と相互に通じる。
【００１３】
混合ユニットは、第一管体で該ＲＯ飲用水ユニットを連通し、該混合ユニットは該第一管体内の水素と該水体を混合して水素水にする。
【００１４】
出水ユニットは、第二管体で該混合ユニットを連通し、該水素水を出水する。
【００１５】
分子膜は、該第二管体一段部に設置し、該水素水は該分子膜を通過する。
【００１６】
電解ユニット組は、該第一管体及び該第二管体にそれぞれ連通し、該電解ユニット組は該第二管体に部分水素水を流して水素を取得し、且つ該電解ユニット組は該水素を該第一管体内へ送るのに用いる。
【００１７】
第一圧力モニタリングユニットは、該電解ユニット組及び該混合ユニットにそれぞれ電気連接し、該第一圧力モニタリングユニットは、該第二管体の圧力を検出し、該圧力が第一圧力予定値より低い時、該第一圧力モニタリングユニットは該電解ユニット組及び該混合ユニットをそれぞれ制御して始動させ、該圧力が第二圧力予定値より高い時、該第一圧力モニタリングユニットが該電解ユニット組及び該混合ユニットをそれぞれ制御して停止させ、且つ該第二圧力予定値は該第一圧力予定値より高い。
【００１８】
本考案の特徴は以下のとおりである。
【００１９】
該混合ユニットは該水素と該水体の第一次混合を行い、次に該分子膜で該水素と該水体の第二次混合を行う。該分子膜に該水素と該水体が分子形式で通過すると、その二者は更に均一的に混合され、品質が良好な水素水ができる。
【００２０】
ＲＯ飲用水ユニット及び水素水製造機の結合（該電解ユニットと該混合ユニットを含む）によって、使用者が水素水サーバーを購入すると、即座に家庭で使用でき、その他製品（例として先前技術で述べたＲＯウォーターサーバー）を別途購入する必要はなく、実用性が大幅に向上する。
【００２１】
本考案は、該第一圧力モニタリングユニットによって、該水素水サーバーが給水状態の時（即ち、該出水ユニットが該水素水を出水状態の時）、該第一圧力モニタリングユニットが該電解ユニット及び該混合ユニットを制御して始動し、その時、該水素水サーバーは水素水を製造し、水素水の製造過多、水素水が停止できないもしくは水素水中の水素含有過多等問題を防止する。
【実施例】
【００２２】
図式を挙げて本考案の構造、特徴と実施例を説明する。
【００２３】
図１に示すとおり、本考案は一種の水素水サーバーであり、該水素水サーバーＡは以下を含む。
【００２４】
入水口１は、図１から図２に示すとおり、該入水口１は、水体を入れ、該水体は水道水とする。
【００２５】
ＲＯ飲用水ユニット２は、図２に示すとおり、主に水をろ過する事を目的とする。該ＲＯ飲用水ユニット２を経てろ過された水は、純水となる。該ＲＯ飲用水ユニット２は、以下の順に通じ、ＰＰフィルター２１、活性炭素フィルター２２、モータ２３及びＲＯ膜２４を含む。該ＰＰフィルター２１及び該活性炭素フィルター２２は、主に良好なろ過効果を提供し、そのうち、該ＰＰフィルター２１、該活性炭２６素フィルター２２はろ過ユニットとする。
【００２６】
同時に図２に示すとおり、該ＲＯ膜２４は廃水排出口２６に連通し、該ＲＯ膜２４から発生する廃水はつまり該ＲＯ膜の水を通過できず、不純物等混合物は該廃水排出口２６へ送られて隔離される。その他、該廃水排出口２６と該ＲＯ膜２４の間は排水バルブ体２７を設置し、該廃水排出口２６の廃水量流入を制御したり、該廃水を排水するか否か制御する。
【００２７】
混合ユニット３は、図２に示す。該混合ユニット３は、第一管体７１で該ＲＯ飲用水ユニット２に連通し、該第一管体７１内の該水体及び水素が合わさる。該混合ユニット３は混合モータであり、該水素と該水体を第一番目に混合して水素水を製造し、該水素は該水素水２wt%を占める。当該説明書が示す水素水は、水素を混合した水体で、英語でHydrogen waterと称し、日本語では水素水と称する。
【００２８】
出水ユニット５は、図１と合わせて図２に示す。該出水ユニット５は、第二管体７２で該混合ユニット７に連通する。該出水ユニット５は、オープンとするか否かで該水素水の出水を決定する。その他、該出水ユニット５は出水バルブ体５１及び出水口５２を含み、該出水バルブ体５１のオープンか否かで該出水口５２から該水素水を出す。該水素水を出水するか否か、もしくは出水の水素水量すべてを制御し、且つ該水素水を出水できるのは、すべて当説明書が示す該出水ユニット５とする。
【００２９】
分子膜６は、図２に示す。該分子膜６は、該第二管体７２の一段部に設置して該水素水を該分子膜６に通し、ろ過水を微粒子にする効果を備える他、該分子膜６の口径は０.０２μmが良好であり、該分子膜６を該水体及び体積を縮小させる該水素が通過し、その二者を平均して混合し、品質良好な水素水にする。
【００３０】
電解ユニット組４は、図２に示す。該電解ユニット組４は、それぞれ該第一管体７１及び該第二管体７２を連通する。該電解ユニット組４は、該第二管体７２の部分水素水を電解して流して該水素を取り、該水素を排出し、且つ該水素を該第一管体７１内に送る。また、該電解ユニット４に良好な電解効果を備えるため、該電解ユニット組４は、以下を含む。該第一管体７１と相互に通じる電解ユニット４１、該電解ユニット４１及び該第二管体７２と相互に通じる第一貯水ユニット４２、且つ該第一貯水ユニット４２と該第二管体７２の相互に通じるルート一段部に設置する第一バルブ体４３である。該第一バルブ体４３は、主に開き具合で該電解ユニット組４内の該水素水量を流入調整する。その他、該電解ユニット４を通じて電解後に残った水素及び水は、該第一貯水ユニット４２内に回流し、これら残った水素を排出する。該第一貯水ユニット４２は該廃水排出口２６を連通し、且つ二者の連通ルートの一段部には第二バルブ体７３を設置し、該第二バルブ体７３を通じて該第一貯水ユニット４２の余剰水素排出量を制御する。更に、該電解ユニット４１に良好な電解効果を備えるため、該電解ユニット４１はプロトン電解交換ユニットがよく、プロトン交換の手段によって該水素を得る。
【００３１】
第一圧力モニタリングユニット８は、図２に示す。該第一圧力モニタリングユニット８は、それぞれ該電解ユニット組４及び該混合ユニット３を電気連接する。該第一圧力モニタリングユニット８は、該第二管体７２の圧力を検出し、該圧力が第一圧力予定値より低い時には該出水ユニット５が開いている事を表し、該第一圧力モニタリングユニット８は、該電解ユニット組４及び該混合ユニット５をそれぞれ制御して始動させる。該圧力が第二圧力予定値よりも高い時は、該出水ユニット５がトジしてることを表し、該第一圧力モニタリングユニット８は該電解ユニット組４及び該混合ユニット４を制御して停止させ、該水素水の製造過多、もしくは該水素水の水素含有量過多等問題を防止し、且つ該第二圧力予定値は該第一圧力予定値よりも高い。その他、該第一圧力モニタリングユニット８は該電解ユニット組４及び該混合ユニット５を制御して動かす時，同時に該モータ２３が始動することが望ましい。反対に、該第一圧力モニタリングユニット８が該電解ユニット組４及び該混合ユニット５を制御してクローズする時、同時に該モータ２３も停止するのが望ましい。
【００３２】
本考案の特徴は以下のとおりである。
【００３３】
該混合ユニット３で水素と水体を第一次混合を行い、該水素水を作り、次に該分子膜６で第二次混合を行い、水素と水体が該分子膜６を通過すると、分子が小さくなる特性を備え、該水素と該水体が更に均一に混合され、品質が良好な該水素水を作る。
【００３４】
該ＲＯ飲用水ユニット２と水素水機の結合によって、即ち該混合ユニット３と該電解ユニット４によって、消費者は購入後すぐに使用することができ、別にＲＯウォーターサーバーを購入する必要がなく、一般家庭で使用するのに便利である。
【００３５】
その他、本考案は、更に該第一圧力モニタリングユニット８によって、該第二管体７２内の圧力の大小が判断基準となり、該出水バルブ体がオンの状態であるか否かを判断することによって、該電解ユニット４及び該混合ユニット５のオンオフを制御し、これによって、従来の技術的問題を改善し、水素水製造過多もしくは水素水内の水素含有過多等問題を防止する。
【００３６】
該入水口１から水体が入らないのに内部各部品が作動し、例としてモータ２３が空転する等で破損してしまうのを防止するため、本考案は以下のように実施する。該活性炭素フィルター２２と該モータ２３の間には第三バルブ体２５を設置し、更に第二圧力モニタリングユニット０を設置し、該第二圧力モニタリングユニット０は、該モータ２３、該混合ユニット３、該電解ユニット４及び該第三バルブ体２５にそれぞれ電気連接する。該第二圧力モニタリングユニット０は、該ＲＯ飲用水ユニット２と該入水口１の間の管路圧力を計測するのに用い、該管路圧力が第三圧力予定値よりも高い時、該第三バルブ体２５をオープン状態にし、同時に該混合ユニット３、該電解ユニット４及び該モータ２３を制御して待受状態にして該第一圧力モニタリングユニットが該混合ユニット３及び該電解ユニット４のオンオフを制御することができる。反対に該第三バルブ体２５をクローズ状態にすると、同時に該混合ユニット３、該電解ユニット４及び該モータ２３はオフ状態に制御される。
【００３７】
また、該水素水サーバーＡ内の流体流動速度が水素と該水体の混合効果に影響するのを防止するため、本考案では更に以下を実施する。該ＲＯ膜２４は該混合ユニット３のルート一段部、該電解ユニット組４を連通し、該電解ユニット組４はそれぞれ該第一管体７１及び該第二管体７２の一段部、該第一管体７１内もしくは該第二管体７２内に連通し、少なくともそのうちの一もしくは二以上は、限流ユニットを設置する。該限流ユニットによって内部流体の流動速度を制限する。この他、該限流ユニットは限流針が良い。
【００３８】
また、該水素水サーバーが水素水を作るのに間に合わなくなるのを防止するため、該水素水サーバーＡは以下のように実施するのが良い。於該混合ユニット３と該分子膜６の間は第二貯水ユニット９を設置し、該第二貯水ユニット９は該混合ユニット３が作った水素水を貯蔵する。
【００３９】
上述から、本考案は産業利用性が高く、且つ刊行物もしくは公開使用において未見であるため、特許申請の要件を満たすことから、ここに実用新案登録を申請する。
【００４０】
上述のとおり、本考案は良好な実施例を提示しているが本考案の請求項に基づく同等の変化はすべて本考案の請求項に含まれる。
【符号の説明】
【００４１】
Ａ        水素水サーバー
１        入水口
２        ＲＯ飲用水ユニット
２１        ＰＰフィルター
２２        活性炭素フィルター
２３        モータ
２４        ＲＯ膜
２５        第三バルブ体
２６        廃水排出口
２７        排水バルブ体
３        混合ユニット
４        電解ユニット組
４１        電解ユニット
４２        第一貯水ユニット
４３        第一バルブ体
５        出水ユニット
５１        出水バルブ体
５２        出水口
６        分子膜
７１        第一管体
７２        第二管体
７３        第二バルブ体
８        第一圧力モニタリングユニット
９        第二貯水ユニット
０        第二圧力モニタリングユニット
【図１】
0003207289.tif 000003
【図２】
0003207289.tif 000004